(57)【要約】  ストラップ取付け装置は、ストラップに取り付けられるように構成されたストラップコネクタと、バッグ又はスーツケースなどの製品の表面に固定された接続プレートと、を含む。ストラップコネクタは、取外し可能に係合するように構成されかつ前記接続プレートの下方に配置されたロック部材によって固定されるコネクタポストを含む。ロック部材は、機械的付勢手段例えばバネによって閉鎖位置へ付勢される。コネクタポストは、ロック部材の係合を部分的に解除するように構成されたフランジ付き端部を含み、接続プレートの中へ挿入されるのに応答して前記フランジ端部を前記ロック部材と噛み合わせて前記ロック部材によって固定されるようにする。更に、接続プレート内のプルトラックにプルタブが配置される。使用者は、プルトラックに沿ってプルタブを移動することによってロック部材から接続ポストを外せる。
2019503247.tif 000002
【特許請求の範囲】
【請求項１】
表面材料に取り付けられるように構成された接続プレートとストラップに取り付けられるように構成されたストラップコネクタとを含むストラップ取付け装置であって、
コネクタ穴を含む前記接続プレートであって、前記接続プレートが第１平面に沿った向きを持つ、前記接続プレートと、
前記コネクタ穴の中へ取外し可能に挿入されるように構成されたフランジ付きコネクタポストを含む、前記ストラップコネクタと、
前記フランジ付きコネクタポストが係合中に前記第１平面に対して直交する方向に移動できないように前記フランジ付きコネクタポストを係合位置に保持するために、前記フランジ付きコネクタポストと解除可能に係合するように構成された、ロック部材と、
を備える、ストラップ取付け装置。
【請求項２】
更に、
前記接続プレートに配置されたプルトラックと、
前記プルトラック内に配置され、かつ前記バネ式ロック部材に取り付けられたプルタブであって、前記プルタブが、前記プルトラック内で前記第１平面に対して平行な方向に前記プルタブを移動させる力に応答して前記フランジ付きコネクタポストから前記ロック部材を外すように構成される、前記プルタブと、
を備える、請求項１に記載のストラップ取付け装置。
【請求項３】
前記ストラップコネクタが、更に、前記ストラップに締結するために構成されかつ前記フランジ付きコネクタポストに接続されたＴ字形バーを含む、請求項２に記載のストラップ取付け装置。
【請求項４】
前記ロック部材が、バネによって係合位置へ付勢されるバネ式ロック部材である、請求項３に記載のストラップ取付け装置。
【請求項５】
前記バネ式ロック部材が、更に、傾斜ロックポイントの傾斜縁が前記接続プレートに対面するように、前記バネ式ロック部材の先端縁に配置された、該傾斜ロックポイントを含む、請求項４に記載のストラップ取付け装置。
【請求項６】
前記フランジ付きコネクタポストが、更に、前記フランジ付きコネクタポストが前記コネクタ穴の中へ挿入されて前記傾斜ロックポイントに接触したとき前記バネ式ロック部材を後退させるように前記傾斜ロックポイントと係合するように構成された、丸みのある下面を含む、請求項５に記載のストラップ取付け装置。
【請求項７】
前記フランジ付きコネクタポストが、更に、前記丸みのある下面の上方に配置され、かつ前記バネ式ロック部材が係合位置にあるとき前記傾斜ロックポイントの先端面と係合するように構成された、円筒形本体部分を含む、請求項６に記載のストラップ取付け装置。
【請求項８】
前記傾斜ロックポイントの前記先端面が、凹面状であり、かつ前記円筒形本体部分に接触するように構成され、前記先端面と前記円筒形本体部分との間の接触量を減少することなく前記円筒形本体部分が前記傾斜ロックポイントに対して半径方向に自由に回転できる、請求項７に記載のストラップ取付け装置。
【請求項９】
更に、前記接続プレートに取り付けられたバックプレートを備え、前記バックプレートが前記表面材料の面に当接するように構成される、請求項８に記載のストラップ取付け装置。
【請求項１０】
更に、前記表面材料と前記バックプレートとの間に配置されるように構成された裏張り材料を備える、請求項９に記載のストラップ取付け装置。
【請求項１１】
更に、前記ストラップコネクタに配置されたプラグを備え、前記プラグが、前記フランジ付きコネクタポストの取付け部分を受け入れるように構成された円形突出部を有し、前記フランジ付けコネクタポストが係合中に前記第１平面に対して平行な方向に移動できないが前記第１平面に対して平行な半径方向に回転できるように、前記円形突出部が、前記コネクタ穴の内面と噛み合うように構成される、請求項１に記載のストラップ取付け装置。
【請求項１２】
バッグであって、
ストラップと、
表面材料と、
ストラップ取付け装置であって、
前記表面材料に配置された接続プレートと、前記ストラップに取り付けられたストラップコネクタと、を含み、前記接続プレートはコネクタ穴を含みかつ第１平面に沿った向きを持ち、前記ストラップコネクタは前記コネクタ穴の中に取外し可能に挿入されるように構成されたフランジ付きコネクタポストを含み、
前記フランジ付きコネクタポストが係合中に前記第１平面に直交する方向に移動できないように前記フランジ付きコネクタポストを係合位置に保持するために前記フランジ付きコネクタポストと解除可能に係合するように構成されたロック部材と、を含む、
ストラップ取付け装置と、
を備える、バッグ。
【請求項１３】
更に、
前記接続プレートに配置されたプルトラックと、
前記プルトラック内に配置されかつ前記ロック部材に取り付けられたプルタブであって、前記プルタブが、前記プルトラック内で前記第１平面に対して平行な方向に前記プルタブを移動させる力に応答して前記フランジ付きコネクタポストから前記ロック部材を外すように構成される、前記プルタブと、
を備える、請求項１２に記載のバッグ。
【請求項１４】
前記ストラップコネクタが、更に、前記ストラップに締結されかつ前記フランジ付きコネクタポストに接続されたＴ字形バーを含む、請求項１３に記載のバッグ。
【請求項１５】
前記ロック部材がバネによって前記係合位置へ付勢されるバネ式ロック部材である、請求項１４に記載のバッグ。
【請求項１６】
前記バネ式ロック部材が、更に、傾斜ロックポイントの傾斜縁が前記接続プレートに対面するように前記バネ式ロック部材の先端縁に配置された、該傾斜ロックポイントを含む、請求項１５に記載のバッグ。
【請求項１７】
前記フランジ付きコネクタポストが、更に、前記フランジ付きコネクタポストが前記コネクタ穴の中へ挿入されて前記傾斜ロックポイントと接触したとき前記バネ式ロック部材を後退させるように前記傾斜ロックポイントと係合するように構成された、丸みのある下面を含む、請求項１６に記載のバッグ。
【請求項１８】
前記フランジ付きコネクタポストが、更に、前記丸みのある下面の上方に配置され、かつ前記バネ式ロック部材が係合位置にあるとき前記傾斜ロックポイントの先端面と係合するように構成された、円筒形本体部分を含む、請求項１７に記載のバッグ。
【請求項１９】
前記傾斜ロックポイントの前記先端面が、凹面状であり、かつ前記円筒形本体部分に接触するように構成され、前記円筒形本体部分が、前記先端面と前記円筒形本体部分との間の接触量を減少することなく前記傾斜ロックポイントに対して半径方向に自由に回転できる、請求項１８に記載のバッグ。
【請求項２０】
更に、前記接続プレートに取り付けられたバックプレートを備え、前記バックプレートが、前記表面材料の表面に当接するように構成される、請求項１９に記載のバッグ。
【請求項２１】
更に、前記表面材料と前記バックプレートとの間に配置されるように構成された裏張り材料を備える、請求項２０に記載のバッグ。
【請求項２２】
更に、前記ストラップコネクタに配置されたプラグを備え、前記プラグが、前記フランジ付きコネクタポストの取付け部分に取り付けられるように構成された円形突出部を有し、前記フランジ付きコネクタポストが係合中に前記第１平面に対して平行な方向に移動できないが前記第１平面に対して平行な半径方向に回転できるように、前記円形突出部が、前記コネクタ穴の内面と噛み合うように構成される、請求項１２に記載のバッグ。
【発明の詳細な説明】
【技術分野】
【０００１】
本開示は、旅行鞄製品又はバッグにストラップを取外し可能に取り付けるための取外し可能ストラップ取付け具に関する。
【背景技術】
【０００２】
バッグ及び旅行鞄製品は、バッグ又は旅行鞄製品を保持する、運ぶ又は引っ張るためのストラップを含むことが多い。しばしば、ストラップは、クリップ又はフックを用いてバッグに解除可能に取り付けできる。ストラップ取付け機構の１つの一般的な例は、バネ式のクリップであり、これによって、使用者は、バッグ又は旅行鞄製品に取り付けられたループ又は金属ハトメに金属フックを通して設置できる。フックがループ又は旅行鞄製品に通して延ばされると、バネ式レバーを閉鎖でき、それによって、フックをループ又はハトメに固定する。別の一般的なストラップ取付け機構は、バネ式クリップボルトと一緒にフックを使用する。この実施例において、ストラップ取付け具は、バネ式クリップボルトと一緒にフックを採用する。ストラップをバッグ又は旅行鞄製品に取り付けるためには、使用者は、バネ式ボルトを引き下げて、バッグ又は旅行鞄製品のループ又はハトメにフックを通して配置し、その後バネ式ボルトを解除して、ストラップをバッグに固定する。
【発明の概要】
【０００３】
本開示は、ストラップをバッグ又は旅行鞄製品に接続するためのストラップ取付け具を提供するためのシステム、方法及び装置に関する。
【０００４】
本明細書に示す形態及び実施形態は、バッグ又はスーツケースなどの製品にストラップを取外し可能に取り付けるための改良されたストラップ取付け装置を説明する。改良されたストラップ取付け装置は、表面材料例えばバッグ又はスーツケースの表面材料に取り付けられるように構成された接続プレートと、バッグ又はスーツケースのストラップに取り付けられるように構成されたストラップコネクタとを含み、ストラップコネクタは、接続プレートに取外し可能に取り付けできるように構成される。
【０００５】
本明細書において説明する様々な形態及び実施形態において、ストラップコネクタは、２つの端部を持つことができ、一方の端部は、ストラップに取り付けられるように構成され、他方の端部は、接続プレートに取り付けられるように構成される。接続プレートの表面には穴を設置でき、ストラップコネクタに含まれるフランジ付きコネクタポストが接続プレートを通り抜けて、ロック部材に取外し可能に係合できるようにする。ロック部材は、接続プレートの下に収容できる。ロック部材は、バネによって係合位置へ付勢でき、フランジ付きコネクタポストが接続プレートの中へ挿入されるのに応答してバネを圧縮するように構成された傾斜ロックポイントを含むことができる。ストラップコネクタ、接続プレート、フランジ付きコネクタポスト、コネクタ穴、ロック部材、ロックポイント及びその他のシステム構成要素は、係合位置にあるときストラップコネクタが接続プレートに対して直交して又は側方に移動するのを防止するような、サイズ、形状および配列を持つことができる。但し、特定の実施形態において、ストラップコネクタは、係合されていても半径方向に回転できる。
【０００６】
接続プレートは、更に、プルトラック内に配置されたプルタブを含むことができ、プルタブはロック部材に結合される。プルタブは、プルトラックに沿って移動でき、バネを圧縮し、ロック部材を係合解除位置へ付勢でき、フランジ付きコネクタポストは接続プレートから解除される。
【０００７】
様々な形態及び実施形態において、ストラップコネクタは、Ｔ字形バーの水平部分にストラップを固定するように構成されたフランジ付き両端部を持つＴ字形バーを含むことができる。Ｔ字形バーは、更に、水平部分をプラグに接続するための垂直部分を含むことができる。プラグは、フランジ付きコネクタポストの取付け部分を受け入れてこれを固定するように構成でき、更に、係合しているときにフランジ付きコネクタポストが第１平面に対して平行な側方に移動できないようにコネクタ穴の内面に係合するように構成された突出部を含むことができる。いくつかの実施形態において、突出部は、円形または円筒形とすることができ、コネクタポストが側方に移動することなく第１平面に対して平行な半径方向に自由に回転できるようにする。
【０００８】
付加的形態及び実施形態において、本発明は、表面材料の背後又は下に配置されかつ接続プレートを表面材料に固定するように構成されたバックプレートも備えることができる。バックプレートは、１つ又は複数のリベット、スクリュー又は当業者には既知のその他の締結手段を用いて接続プレートを表面材料に固着するための１つ又は複数の剛性取付けポイントを提供できる。接続プレート又はバックプレートによって加えられる機械力から表面材料を保護するために、接続プレート又はバックプレートの寸法に実質的に合致するサイズ及び形状を持つ補強材料を、更に、表面材料の背後又は下に配置できる。
【０００９】
特定の形態及び実施形態において、フランジ付きコネクタポストは、傾斜ロックポイントに係合してさらにロック部材の係合解除を促すように構成された丸みのある下面も含むことができる。具体的には、丸みのある下面は、ロック部材の運動方向とより密接に整列した角度で傾斜ロックポイントに接触できる。フランジ付きコネクタポストは、更に、傾斜ロックポイントに係合して、コネクタポストのフランジがロックポイントの下で固定されてストラップコネクタが完全に係合すると傾斜ロックポイントを側方に関して固定するように構成された円筒形本体部分も含むことができる。
【００１０】
本明細書において説明する別の形態及び実施形態において、ロックポイントは、フランジ付きコネクタポストがコネクタ穴の中に挿入されてロックポイントの先端縁又は先端面に接触するのに反応してロック部材を圧縮させるように構成された傾斜先端面又は縁を含むことができる。ロックポイントは、円筒形本体部分とロックポイントとの間の表面接触量が増大するとき傾斜ロックポイントに対して半径方向に自由に回転できるように、円筒形本体部分に接触するように設計された凹面先端縁を含むこともでき、これによって、ロック部材及び接続プレートに対するコネクタポストの側方及び直交の両方の安定性を更に強化できる。
【００１１】
本明細書において説明するストラップ取付け装置の形態及び実施形態によれば、ストラップ取付け装置は、上述の構造的特徴及び機能性の任意の組合せ又はその全てを持つことができる。
【００１２】
本発明の特定の形態及び実施形態は、ストラップ、表面材料及び上述のストラップ取付け装置の構造的特徴及び機能性の任意のもの又は全てを備えるバッグ又はスーツケースを含む。具体的には、ストラップコネクタは、ストラップに取り付けることができ、接続プレートは、バッグ又はスーツケースの表面材料に固着できる。
【００１３】
ストラップ取付け具の少なくとも１つの実施形態の様々な形態について、添付図面を参照して下で論じる。図面は、例示及び説明のためのものであり、開示の制限の規定を意図しない。
【図面の簡単な説明】
【００１４】
【図１Ａ】本開示の１つの実施形態に従った、閉鎖位置にあるストラップ取付け装置の上面図である。
【図１Ｂ】本開示の１つの実施形態に従った、閉鎖位置にあるストラップ取付け装置の部分的に透明の側面図である。
【図１Ｃ】本開示の１つの実施形態に従った、閉鎖位置にあるストラップ取付け装置の部分的に透明の底面図である。
【図１Ｄ】本開示の１つの実施形態に従った、開放位置にあるストラップ取付け装置の上面図である。
【図１Ｅ】本開示の１つの実施形態に従った、開放位置にあるストラップ取付け装置の部分的に透明の側面図である。
【図２Ａ】本開示の１つの実施形態におけるストラップコネクタの上面図である。
【図２Ｂ】本開示の１つの実施形態におけるストラップコネクタの側面図である。
【図２Ｃ】本開示の１つの実施形態におけるストラップコネクタポストの底面図である。
【図２Ｄ】本開示の１つの実施形態におけるストラップコネクタポストを示す。
【図３Ａ】本開示の１つの実施形態における接続プレートの上面図である。
【図３Ｂ】本開示の１つの実施形態における接続プレートの側面図である。
【図３Ｃ】本開示の１つの実施形態における接続プレートの底面図である。
【図４Ａ】本開示の１つの実施形態におけるロック部材の上面図である。
【図４Ｂ】本開示の１つの実施形態におけるロック部材の側面図である。
【図５Ａ】本開示の１つの実施形態におけるカバーの底面図である。
【図５Ｂ】本開示の１つの実施形態におけるカバーの側面図である。
【図６Ａ】本開示の１つの実施形態において接続プレートに組み立てられるプロセスにおけるロック部材の底面図である。
【図６Ｂ】本開示の１つの実施形態において接続プレートに組み立てられるプロセスにおけるロック部材の底面図である。
【図６Ｃ】本開示の１つの実施形態において接続プレートに組み立てられるプロセスにおけるロック部材の上面図である。
【図６Ｄ】本開示の１つの実施形態において接続プレートに組み立てられるプロセスにおけるロック部材の底面図である。
【図７】本開示の１つの実施形態においてストラップ取付け装置を固定するためのバッグ又は旅行鞄製品の表面予備処理の上面図である。
【図８】本開示の１つの実施形態においてストラップ取付け装置を固定するためのバッグ又は旅行鞄製品の表面裏張りの底面図である。
【図９】本開示の１つの実施形態においてバッグ又は旅行鞄製品の表面予備処理及び裏張りを通り抜けて挿入された後の接続プレートの底面図である。
【図１０Ａ】本開示の１つの実施形態に従ったバックプレートの底面図である。
【図１０Ｂ】本開示の１つの実施形態に従ったバックプレートの側面図である。
【図１１Ａ】本開示の１つの実施形態に従った、開放位置にある組み立て済みストラップコネクタ装置の斜視図である。
【図１１Ｂ】本開示の１つの実施形態に従った、閉鎖位置における組み立て済みストラップコネクタ装置の斜視図である。
【発明を実施するための形態】
【００１５】
下記の説明は開示を代表的実施形態に限定するためのものではないことが分かるはずである。逆に、説明は、説明される内容の主旨及び範囲内に含むことのできる代替策、修正及び同等物を包括するためのものである。
【００１６】
既知のストラップ取付け具は、いくつかの潜在的な欠陥を持つ。まず、既知のストラップ取付け具は、嵩張って美的な魅力に欠ける機械的締結具になる傾向がある。デザイナはバッグの全体的外観に対する締結具の影響を最小限に抑えることを望むが、締結具はバッグ及び旅行鞄製品において目立つ傾向がある。次に、既知のストラップ取付け具は、設置するのに熟練を要し、しばしばループ又はハトメにフックを挿入するとき及び場合によってはバネ式ボルト又はレバーを押すとき、使用者は両手でループ又はハトメを所定の場所に保持する必要がある。したがって、片手だけで配備できるストラップ取付け具が望ましい。第３に、既知のストラップ取付け具は、典型的に、フックを使用する機構が、これが取り付けられるループ又はハトメの円周全体の周りで回転できないので、運動範囲に限界がある。典型的に、接続ループ又はハトメは、バッグ自体に取り付けられ、フックは、バッグに取り付けられたループ又はハトメの部分を横切れない。したがって、使用者がストラップを保持するためにより充分な運動範囲が可能であるようにストラップをバッグ又は旅行鞄製品に接続できるストラップ取付け具が必要とされる。
【００１７】
図１Ａ〜１Ｃは、ストラップ取付け装置１の実施形態を開示する。図１Ａは、本開示の１つの実施形態に従った閉鎖位置にあるストラップ取付け装置１の上面図である。この実施例に示すように、ストラップ取付け装置１は、図において接続プレート５に接続されるストラップコネクタ３を含む。接続プレート５は、閉鎖位置で示されるプルタブと、凹状のプルトラック９と、コネクタ穴１１と、を有する。図１Ｂは、図１のストラップ取付け装置１の部分的に透明の側面図であり、図１Ｃは、本開示の１つの実施形態にしたがった閉鎖位置にあるストラップ取付け装置１の部分的に透明の底面図である。図１Ｂに示すように、ストラップ取付け装置１は、バッグ又は旅行鞄製品の表面にストラップ取付け具を取り付けるためのバックプレート１３も含むことができる。ストラップコネクタ３は、又、ストラップコネクタポスト１５を含むことができ、ポストは、ロック部材でロックするためにコネクタ穴１１の中へ挿入できる。ロック部材の１つの実施形態はロックボルトである。コネクタ穴１１は、コネクタ穴１１へのストラップコネクタポスト１５の挿入を助けるように構成された傾斜又は凹状周囲部分１２を含むことができる。ロック部材１７は、バネ１９又は当業者には既知のその他の機械的付勢手段によって閉鎖位置へ押される。図示するように、ストラップ取付け装置１が閉鎖位置にあるとき、ロック部材は、ストラップコネクタポスト１５のフランジ又はリップ１４と係合し、それによって、コネクタポスト１５がロック部材１７によってロックされたままであるようにストラップコネクタ３を閉鎖位置に保持する。図１Ｃは、本開示の１つの実施形態に従った、閉鎖位置にあるストラップ取付け装置１の部分的に透明の底面図である。
【００１８】
図１Ｄ及び図１Ｅは、それぞれ、本開示の１つの実施形態に従った開放位置にあるストラップ取付け具の上面図及び側面図である。例えば図１Ｄに示すように、使用者は、プルトラック９内でプルタブ７を下向きに動かして（それによってバネを圧縮する）ロック部材１７をコネクタポスト１５から外すことによって、ストラップコネクタ３を解除できる。例えば、図１Ｅを参照すると、ストラップコネクタ３及びコネクタポスト１５がコネクタ穴１１から引き出されたら、プルタブ７を解放でき、バネ１９は減圧して、それによって、プルタブ７及びロック部材１７を付勢位置（休止位置、ロック位置又は係合位置とも呼ばれる）へ戻す。付加的な実施形態において、凹状プルトラック９の向きは、ロック部材１７の係合を解除するためにプルタブ７がプルトラックの向きに対応する方向に移動可能であるように、図１Ｄ及び図１Ｅに示す垂直向きとは異なってもよい。好ましいし実施形態において、プルタブ７の直径又は幅は、接続プレート５の向きが沿う平面に対して平行な平面に沿った向きである。したがって、プルトラック９に沿ったプルタブ７の好ましい動きは、接続プレート５の向きが沿う平面に対して平行な方向である。但し、他の様々な実施形態において、プルタブ７の移動方向は、接続プレート５の向きが沿う平面から部分的にオフセットできる。図１Ｄ及び図１Ｅに示すプルタブ７は環状形であるが、プルタブ７は、ロック部材１７が前記移動に応答してコネクタポスト１５と係合及び解除されるように、プルトラック９と噛み合いかつプルトラック９の長さに沿って操作方向に移動できるようにするための適切な任意の形状を持つように設計できる。
【００１９】
様々な実施形態において、接続プレート５の外面とバックプレート１３の外面との間の距離は、１ｍｍ〜２０ｍｍ例えば７ｍｍである。特定の実施形態において、接続プレート５の内面とバックプレート１３の内面との間の距離は、０.５ｍｍ〜１５ｍｍ例えば３.２ｍｍである。
【００２０】
図２Ａは、本開示の１つの実施形態のストラップコネクタの上面図である。この実施例において、ストラップコネクタ３は、Ｔ字形バー２１を備えることができる。この実施例において、Ｔ字形バー２１の水平部分２２は、ストラップ２３（図１１Ａ及び図１１Ｂ）に締結されるためのものである。ストラップ２３の端部分をＴ字形バー２１に巻き付けることができ、ストラップの端部分は、図１１Ａ及び図１１Ｂに示すようにＴ字形バー２１に固定するために縫い合わせることができる。別の実施例において、ストラップ２３は、糊付け、縫い付け、一体的形成を含めた当業者には既知の任意の適切な手段を用いて又は機械的締結具を用いてストラップコネクタ３に締結できる。いくつかの実施例において、Ｔ字形バー２１は必要なく、ストラップ２３は、当業者には既知の任意の適切な手段を用いてストラップコネクタ３の一部分に直接締結できる。Ｔ字形バー２１が採用される場合、ストラップ２３をＴ字形バー２１上に保持するのを助けるためにフランジ付き端部２５を含むこともできる。
【００２１】
Ｔ字形バー２３の垂直部分２４は、一方の端において水平部分から反対端のプラグ２７まで延びることができる。プラグ２７は、Ｔ字形バー２１と同じ材料で一体的に形成できる。材料は、金属、プラスチック、ゴム又は木材など当業者には既知の任意の適切な剛性材料を含むことができる。又は、プラグ２７は、機械的締結具を用いて又はＴ字形バー２１に溶接又ははんだ付けすることによってＴ字形バー２１に締結できる。プラグ２７は、ストラップコネクタ３が接続プレート５と係合されたとき接続プレート５に当接できるトップキャップ２９を備えることができる。プラグ２７は、更に、例えば図２Ｂに示すようにストラップコネクタ３が接続プレート５と係合したときコネクタ穴１１内に又はこれを通過して接続プレート５の中まで延びることができる突出部３１を備えることができる。突出部３１のサイズは、コネクタポスト１５がロック位置にあるとき突出部３１がコネクタ穴１１と噛み合うように、コネクタ穴１１のサイズと実質的に合致する（又は僅かに小さい）ようにすることができる。突出部３１の外側面は、ロック位置にあるときストラップコネクタ３が接続プレート５に対して側方に又はこれを横切って移動できないよう（突出部３１及びコネクタ穴１１は円形なので回転移動は可能にできる）、例えばストラップコネクタ３に側方安定性を与えるために、コネクタ穴１１の内側面と実質的に当接するように構成される。
【００２２】
図２Ｃは、本開示の１つの実施形態におけるストラップコネクタ３のプラグ２７の底面図である。図２Ｃに示すように、プラグ２７は、接続プレートに引っ掻き又はその他の傷をつけないように、エポキシ、ゴム、シリコン又はプラグ２７と接続プレート５との間の接続部のクッションとなるその他の任意の適切な物質で形成できるＯリング３３を含むことができる。突出部３１は、実質的にその中心に、ストラップコネクタポスト１５を受け入れるための孔又は開口部３５を含むこともできる。いくつかの実施例において、開口部３５は、コネクタポスト１５のネジ切り上部２６を受け入れるためにネジ切りとすることができる。他の実施例において、コネクタポスト１５は、接着剤、溶接、はんだ付けなど当業者には既知の適切な取付け方法を用いて、開口部内の１つ又は複数の構造部又は面に固定できる。他の実施例において、コネクタポスト１５は、単一の型を用いてストラップコネクタ３と一体的に形成できる。
【００２３】
図２Ｄは、本開示の１つの実施形態のストラップコネクタポスト１５を示す。この実施例において、ストラップコネクタポスト１５は、取付け部分２６と、ポスト部分１８と、ストラップ取付け装置１がロック又は閉鎖位置にあるとき、ロック部材１７と噛み合うためのフランジ付き端部１４と、を含むことができる。フランジ付き端部１４は、最初にロック部材１７に接触する下面１６を含むこともできる。いくつかの実施例において、フランジ付き端部の下面は、ロック部材１７の傾斜部分と協働するように湾曲した又は丸みを持つ下面１６を含み、それによって、バネ１９（又はその他の機械的付勢機構）が圧縮するので、ロック部材１７を後退させる。コネクタポスト１５は、当業者には既知の任意の適切な手段を用いて、プラグ２７及び／又はトップキャップ２９に固定的に取り付けできる。例えば、取付け部分２６は、図２Ｄに示すようにネジ切りして、孔３５を介してプラグ２７に取外し可能に又は永久的に取り付けられるように構成でき、孔３５は、ネジ切り端部２６を受け入れて、プラグ２７に対してコネクタポスト１５を固定するように構成される。他の実施形態において、コネクタポスト１５は、代わりに、プラグ２７と一体とするか、これにはんだ付けするか又はその他の方法で永久的に取り付けることができる。コネクタポスト１５は、適切な剛性金属、プラスチック又はゴム又は当業者には既知のその他の任意の適切な剛性材料など、ストラップコネクタ３の残り部分と同じ材料で形成できる。
【００２４】
様々な実施形態において、下面１６を含むフランジ付き端部１４の深さは、０.５ｍｍ〜８ｍｍ例えば２ｍｍである。ポスト部分１８の深さは、０.５ｍｍ〜１０ｍｍ例えば２.５ｍｍとすることができる。フランジ付き端部１４の直径は、２ｍｍ〜３０ｍｍ例えば９ｍｍとすることができる。ストラップコネクタ３の水平部分２２の長さは、５ｍｍ〜１００ｍｍ例えば２５ｍｍとすることができる。ストラップコネクタ３の水平部分２２の幅は、１ｍｍ〜２０ｍｍ例えば５ｍｍとすることができる。周囲部分１２を含むコネクタ穴１１の外径は、４ｍｍ〜６４ｍｍ例えば１６ｍｍとすることができる。周囲部分１２を除いたコネクタ穴１１の内径は、３ｍｍ〜４８ｍｍ例えば１２ｍｍとすることができる。ストラップコネクタ３のフランジ付き端部２５の直径は、２ｍｍ〜５０ｍｍ例えば１０ｍｍとすることができる。プラグ２７のトップキャップ２９の深さは、１ｍｍ〜１６ｍｍ例えば４ｍｍとすることができる。
【００２５】
図３Ａ〜３Ｃは、それぞれ、本開示の１つの実施形態の接続プレート５の上面図、側面図及び底面図である。図３Ａ〜３Ｃを参照すると、接続プレート５は、バッグ又は旅行鞄製品に締結するため及びロック機構を収容するための任意の適切な剛性材料例えば適切な剛性金属、プラスチック又はゴム又は当業者には既知のその他の任意の適切な剛性材料を含むことができる。上面において、接続プレート５は、突出部３１及び／又はストラップコネクタポスト１５を受け入れるためのコネクタ穴１１を含むことができる。上面は、プルタブ穴３７に沿ってプルタブ７を案内するための凹状プルトラック９も含むことができ、プルタブ７は、プルタブ穴３７を通り抜けてロック部材１７と接続できる。
【００２６】
例えば図３Ｂ及び図３Ｃに示すように、接続プレート５の下面は、バッグ又は旅行鞄製品の面に対して所定の位置に接続プレート５を保持するのを助けるための１つ又は複数の逆棘３９も含むことができる。接続プレート５の下面は、バッグ又は旅行鞄製品の外面を貫通してバックプレート又は任意の裏張り面７５（図８）のための締結ポイントを与えるように、接続プレート５の下面から突出する１つ又は複数のポスト４１も含むことができる。ロック部材ハウジング４３も、接続プレート５の下面に配置でき、接続プレート５と一体的に形成されたハウジングを含むことができる。いくつかの実施例において、ロック部材ハウジング４３は、更に、コネクタ穴１１並びにプルタブ穴３７を取り囲むことができる。ロック部材ハウジング４３は、ロック部材１７及びバネ１９を収容するための凹状部分も含み、ロック部材１７が開放位置と閉鎖位置との間で滑動できるようにする。いくつかの実施形態において、ロック部材ハウジング４３の内側形状は、ロック部材１７が開放位置と閉鎖位置との間で滑動できるようする一方、コネクタポスト１５がコネクタ穴１１の中に挿入されるときロック部材１７がコネクタポスト１５の経路を移動不能に遮断しないようにできる。いくつかの実施例において、ロック部材１７は、ロック部材１７の移動を制限できるロック部材ハウジング４３内の１つ又は複数の突出部４７によって、コネクタポスト１５の経路を移動不能に遮断しないようにできる。他の実施例において、ロック部材１７の移動は、プルタブ穴３７の寸法によって制限でき、これによって、ロック部材１７の移動も制限できる。ロック部材ハウジング４３は、ハウジングカバー４９（図５Ａ及び図５Ｂ）を接続するための締結具を受け入れるための１つ又は複数の穴又は開口部４５も備えることができる。ハウジングカバー４９を接続するための穴６１は、ロック部材ハウジング４３の穴４５と整列するように構成され、当業者には既知の締結手段例えば締結スクリュー６７（図６Ｄ）を用いて固定できる。
【００２７】
様々な実施形態において、プルトラック９の長さは、４ｍｍ〜６４ｍｍ例えば１６ｍｍである。接続プレート５の深さは、０.５ｍｍ〜１０ｍｍ例えば２.２ｍｍとすることができる。ロック部材ハウジング４３の深さは、０.５ｍｍ〜１２ｍｍ例えば３.２ｍｍとすることができる。接続プレート５の幅は７ｍｍ〜１００ｍｍ例えば２８ｍｍとすることができる。接続プレート５の高さは、１３ｍｍ〜１５０ｍｍ例えば４２ｍｍとすることができる。ロック部材ハウジング４３の幅は、３ｍｍ〜５０ｍｍとすることができるが、接続プレート５の幅より小さい。ロック部材ハウジングの高さは、６ｍｍ〜７５ｍｍとすることができるが、接続プレート５の高さより小さい。
【００２８】
図４Ａ及び図４Ｂは、それぞれ、本開示の１つの実施形態のロック部材の上面図及び側面図である。図４Ａ及び図４Ｂを参照すると、いくつかの実施例において、ロック部材１７は、ロック部材１７の前端に配置されたロックポイント５１を備えることができる。ロックポイント５１は、例えば図４Ｂに示すように、下向きに傾斜する上面を含むことができる。ロックポイント５１の下向き勾配は、ロックポイント５１がコネクタポスト１５の下面に接触したときロック部材１７を後退させる（そして、バネ１９又はその他の機械的付勢手段を圧縮させる）ことができる。コネクタポスト１５のフランジ付き端部がロックポイント５１を通過した後、バネ１９は部分的又は完全に解除されて、ロックポイント５１は、コネクタポスト１５のポスト部分１８（図２Ｄ）と係合でき、それによって、ロックポイント５１下方にフランジ付き部分１５を保持する。いくつかの実施例において、ロックポイント５１の先端縁は、ロック部材１７が係合してもコネクタポスト１５（及び、延長によりストラップコネクタ）が自由に回転できるように、概ね凹面とすることができる。別の実施例において、別個のロックポイント５１は必要とされず、コネクタポスト１５と係合してコネクタポストを所定の場所にロックするために、ロック部材１７の主体部を使用できる。いくつかの実施例において、複数のロックポイント５１をロック部材１７に取り付けることができ、各々、例えばロックの強さを増すためにコネクタポスト１５と結合するように構成できる。
【００２９】
例えば図４Ａに示すように、ロック部材１７は、首部５３及びフランジ付きベース５５も含むことができる。首部５３は、多少狭くなっており、首部がロック部材ハウジング４３において突出部４７の間を滑動できるようにする。フランジ付きベース５５は、同様に、ロック部材ハウジング４３の突出部４７がロック部材１７の滑動の程度を制限できるようにし、それによって、ロック部材が、挿入時にコネクタポスト１５の経路を移動不能に遮断しないようにできる。ロック部材１７は、バネガイド５７も含むことができ、バネガイドは、例えば図４Ａ及び図４Ｂに示すように、ロック部材１７の後端部に配置された突出部を含むことができる。バネガイド５７は、ロック部材１７とロック部材ハウジング４３の内壁との間にバネ１９を取り付けるためのガイドとして役立つことができる。設置されると、バネガイド５７は、バネ１９を適切な位置に保持するのを助けることもできる。いくつかの実施形態において、バネガイド５７は、ピン、スクリュー、リベット、孔又は当業者には既知の他の機械的締結手段を用いて、バネ１９（又はその他の機械的付勢手段）に取り付けることができる。ロック部材１７は、穴又は開口部５９も含むことができる。穴又は開口部は、プルタブ７を取り付けできるフランジ付きベース５５内に配置できる。プルタブ７は、プルタブ穴３７の直径より大きい上面直径を持つことが好ましく、ロック部材１７に取り付けられると、接続プレート５の下面に接してかつロック部材ハウジング４３内にロック部材１７を維持するのに役立つ。
【００３０】
様々な実施形態において、ロック部材１７の深さは、０.５ｍｍ〜１５ｍｍ例えば３ｍｍである。プルタブ７の深さは、０.５ｍｍ〜１５ｍｍ例えば３ｍｍとすることができる。プルタブ７の直径は、３ｍｍ〜４８ｍｍ例えば１２ｍｍとすることができる。ロック部材１７の幅は、２ｍｍ〜４０ｍｍ例えば１０.５ｍｍとすることができる。ロック部材１７の高さは、５ｍｍ〜８０ｍｍ例えば２１ｍｍとすることができる。
【００３１】
図５Ａ及び図５Ｂは、それぞれ、本開示の１つの実施形態のハウジングカバー４９の底面図及び側面図である。図５Ａに示すように、ハウジングカバー４９は、ロック部材ハウジング４３の形状及び寸法に概ね合致する形状を持つことができ、ロック部材をハウジング内に保持してバネ１９を保護するように、ロック部材ハウジング４３の開放底部を覆って設置できる。ハウジングカバー４９は、ロック部材ハウジング４３の穴４５の位置に対応する２つの穴を含むことができ、これを通して締結具を挿入またはネジ入れることができる。他の実施例において、穴６１又は４５は必要ではなく、ハウジングカバー４９は、当業者には既知の任意の適切な手段を用いて、接続プレートの下面に取り付けできる。いくつかの実施例において、ハウジングカバー４９は、接続プレート５のコネクタ穴１１の形状、サイズ及び設置場所に概ね対応する孔又は開口部６３を含むことができる。孔６３は、ロック部材１７が適切に作動していることを確認するために使用者がロック部材１７の作動を視覚的に検査できるようにする検査窓を与えることができる。但し、孔６３は他の実施例においては必要なく、ハウジングカバー４９は、ロック部材ハウジング４３のための実質的に完全なカバーを備えることができる。
【００３２】
いくつかの実施形態において、ハウジングカバー４９の高さは、８ｍｍ〜１４０ｍｍ例えば３５.７ｍｍである。ハウジングカバー４９の幅は、３ｍｍ〜５６ｍｍ例えば１３.７ｍｍとすることができる。ハウジングカバー４９の深さは、０.４ｍｍ〜８ｍｍ例えば１.６ｍｍとすることができる。
【００３３】
図６Ａ〜６Ｄは、本開示の１つの実施形態においてロック部材１７を接続プレート５に組み立てるプロセスである。図６Ａに示すように、第１ステップにおいて、ロック部材１７は、首部５３を突出部４７の間に配置されようにロック部材ハウジング４３内に配置でき、フランジ付きベースはプルタブ穴３７の下に配置できる。同時に、バネ１９は、一方の端部においてバネガイド５７に取り付け、第２の端部においてロック部材ハウジング４３の内壁の凹状部分内に配置できる。第２ステップにおいて、ロック部材１７は、穴５９及びプルタブ穴３７にスクリュー６５を通し、それによって例えば図６Ｂ及び図６Ｃに示すようにロック部材１７をプルタブ７に締結することによって、プルタブ７に締結できる。第３ステップにおいて、ハウジングカバー４９は、ロック部材ハウジング４３を被覆するように接続プレート５の下面に固定できる。いくつかの実施例において、ハウジングカバー４９は、ハウジングカバー４９の穴６１並びにロック部材ハウジング４３の穴４５を介してスクリュー６７を締結することによって固定できるが、当業者に既知の任意の適切な締結手段を採用できる。
【００３４】
図７は、本開示の１つの実施形態においてストラップ取付け装置を固定するためのバッグ又は旅行鞄製品の表面予備処理の上面図である。図７に示すように、表面材料６９は、皮革、布、キャンバス、絹、木材、プラスチック又は当業者には既知の他の適切な旅行鞄用材料などのバッグ又は旅行鞄製品用の任意の適切な表面材料を含むことができる。図示するように、表面材料６９は、表面材料においてロック部材ハウジング４３及び／又はハウジングカバー４９の形状及び寸法に実質的に合致する開口部７１をカットすることによって、準備できる。表面材料６９は、更に、ポスト４１を貫通させるための１つ又は複数の孔７３をパンチで穿孔することによって、準備できる。いくつかの実施例において、孔７３は、接続プレート５上のポスト４１のサイズ、形状および配列と実質的に合致できる。
【００３５】
図８は、本開示の１つの実施形態においてストラップ取付け装置１を固定するためのバッグ又は旅行鞄製品用の任意の裏張り材７５の底面図である。図８に示すように、任意の裏張り材７５は、表面材料６９に付加的支持を与えるために、及びストラップ取付け装置１を締結することによって又はストラップ２３によって加えられる力から生じる可能性のある表面材料６９への望ましくない損傷を防止するために、任意の適切な材料を含むことができる。適切な材料としては、皮革、布、キャンバス、木材、プラスチック、ゴム、発泡材、金属又は裏張りとして役立つ当業者には既知のその他の任意の適切な材料を含むことができる。図示するように、裏張り材７５は、接続プレート５と少なくとも同じ大きさの（好ましくは多少大きい）材料区分をカットすることによって準備できる。ロック部材ハウジング、ハウジングカバー４９又は表面材料開口部７１の形状及び寸法に実質的に合致する開口部７７を、裏張り材７５にもカットできる。裏張り材７５は、更に、表面材料６９の孔７３と同様にポスト４１を貫通させるための１つ又は複数の孔７９をパンチで穿孔することによって準備できる。いくつかの実施例において、孔７９は、接続プレート５のポスト４１のサイズ、形状及び配列に実質的に合致できる。裏張り材７５が予備処理されたら、開口部７１が開口部７７と実質的に整列しかつ１つ又は複数の孔７３が１つ又は複数の孔７９と実質的に整列するように、表面材料６９の裏面に取り付けできる。裏張り材７５は、糊付け、縫い付け又はその組み合わせなど当業者には既知の任意の適切な取付け手段を用いて、表面材料６９の裏面に取り付けできる。
【００３６】
図９は、本開示の１つの実施形態において接続プレート５がバッグ又は旅行鞄製品用の表面材料６９及び裏張り材７５を貫通して挿入された後の接続プレート５の底面図である。組み立て済み接続プレート５は、ハウジングカバー４９が開口部７１、７７を塞いで、部分的に裏張り材７５を通過して突出するように、開口部７１及び７７（図７及び８）を通過して挿入される。ポスト４１も、孔７３及び７９（図７及び８）の１つ又は複数を通過して挿入できる。
【００３７】
図１０Ａ及び図１０Ｂは、それぞれ、本開示の１つの実施形態に従ったバックプレート１３の底面図及び側面図である。いくつかの実施例において、バックプレート１３は、ハウジングカバー４９のサイズ及び形状と実質的に合致する中央開口部８３を含むことができる。バックプレート１３は、孔７３及び７９並びにポスト４１のサイズ及び配列に実質的に合致する穴又は開口部８５も備えることができる。いくつかの実施例において、バックプレート１３は、１つ又は複数のネジ切りスクリュー（図示せず）を用いて表面材料６９又は裏張り材７５に接続プレート５を固定できる。スクリューは、対応する穴８５及び孔７３、７９に挿入されて、バックプレート１３をポスト４１に締結する。別の実施例において、穴８５から挿入される機械的締結具は必要とされず、バックプレート１３は、代わりに、当業者には既知の他の適切な取付け手段を用いて、接続プレート５に固定できる。
【００３８】
様々な実施形態において、バックプレート１３の幅は、８ｍｍ〜１３０ｍｍ例えば３２ｍｍである。バックプレート１３の高さは１１ｍｍ〜１９０ｍｍ例えば４６ｍｍとすることができる。バックプレート１３の深さは、０.３ｍｍ〜６ｍｍ例えば１.３ｍｍとすることができる。
【００３９】
図１１Ａ及び図１１Ｂは、本開示の１つの実施形態に従った、それぞれ開放位置及び閉鎖位置にある組み立て済みストラップコネクタの斜視図である。図示するように、ストラップコネクタ３は、コネクタポスト１５をコネクタ穴１１の中へ挿入することによって、接続プレート５の中へ挿入できる。挿入されたら、ロックポイント５１は、コネクタポスト１５のフランジ付き端部の上に係合して、それによって、一時的にストラップコネクタ３（及びストラップ２３）を接続プレート５に取り付けできる。特に、使用者は、コネクタポスト１５を挿入する前にロック部材１７を解除する必要がない。コネクタポスト１５は、湾曲した又は丸みのある下面１６を持ちかつロックポイント５１は傾斜を持つことができるので、ロック部材１７は、ストラップコネクタ３に対する下向きの力以外には何も使用せずに、後退してコネクタポスト１５と係合できる。いくつかの実施例において、接続プレート５、ストラップコネクタ３又はコネクタポスト１５は、ストラップコネクタ３がコネクタ穴１１と適切に整合するのを助けるために磁気化できる。ロック部材１７は、更に、ロック部材１７をコネクタポスト１５から外すことなくコネクタポストの本体部１８がロック部材１７に対して自由に回転できるようにコネクタポスト１５の本体部１８に直接当接するように構成されたロックポイント５１（図４Ａ）を含むことができる。更に、ロックポイント５１は、コネクタポスト１５の円筒形本体部分１８と係合するために凹面の先端縁又は面を備えて、本体部１８に当接する凹面先端縁の表面積を増大しながら、本体部１８がロックポイント５１の先端部分に対して自由に回転できるようにする。ロックポイント５１の先端部分とストラップコネクタ３の本体部１８との間の表面積接触量を最大化すると、例えば、偶発的又は不注意の分離の可能性を減少できる。又、ストラップコネクタ３を取り外すために、使用者は、ストラップコネクタ３を外す前にプルタブ７を単に下向きに引っ張り、それによってロック部材１７の係合を解除してバネ１９を圧縮するだけである。
【００４０】
開示する内容は本明細書において特定の代表的実施形態に関して説明されるが、当業者は、本開示の範囲から逸脱することなく、様々な修正及び改良を開示内容に加えることができることが分かるはずである。したがって、下記で請求され上記で開示された特定の特徴は、開示内容の範囲内で他の方法で相互に組み合わせることができ、開示内容は、他の可能な入れ替え及び組み合わせを有する他の実施形態も対象とするものと理解すべきである。当業者には、開示内容の主旨又は範囲から逸脱することなく開示内容のシステム及び方法に様々な修正及び変形を加えることができることが明らかであろう。したがって、開示内容は、請求項及びその同等物の範囲内に在る修正及び変形を含むことを意図する。
【図１Ａ】
2019503247.tif 000003
【図１Ｂ】
2019503247.tif 000004
【図１Ｃ】
2019503247.tif 000005
【図１Ｄ】
2019503247.tif 000006
【図１Ｅ】
2019503247.tif 000007
【図２Ａ】
2019503247.tif 000008
【図２Ｂ】
2019503247.tif 000009
【図２Ｃ】
2019503247.tif 000010
【図２Ｄ】
2019503247.tif 000011
【図３Ａ】
2019503247.tif 000012
【図３Ｂ】
2019503247.tif 000013
【図３Ｃ】
2019503247.tif 000014
【図４Ａ】
2019503247.tif 000015
【図４Ｂ】
2019503247.tif 000016
【図５Ａ】
2019503247.tif 000017
【図５Ｂ】
2019503247.tif 000018
【図６Ａ】
2019503247.tif 000019
【図６Ｂ】
2019503247.tif 000020
【図６Ｃ】
2019503247.tif 000021
【図６Ｄ】
2019503247.tif 000022
【図７】
2019503247.tif 000023
【図８】
2019503247.tif 000024
【図９】
2019503247.tif 000025
【図１０Ａ】
2019503247.tif 000026
【図１０Ｂ】
2019503247.tif 000027
【図１１Ａ】
2019503247.tif 000028
【図１１Ｂ】
2019503247.tif 000029
【国際調査報告】
2019503247.tif 000030
2019503247.tif 000031